【手続補正書】
【提出日】令和3年11月24日(2021.11.24)
【手続補正１】
【補正対象書類名】特許請求の範囲
【補正対象項目名】全文
【補正方法】変更
【補正の内容】
【特許請求の範囲】
【請求項１】
記録材が載置される処理トレイと、
前記処理トレイに載置された記録材を検知する検知手段と、
前記処理トレイに載置された記録材に対してステイプル処理を実行するステイプルユニットと、
前記ステイプルユニットによる前記ステイプル処理の実行指示を出すための指示手段と、
装置本体の外部から前記処理トレイに挿入された記録材を前記検知手段により検知した状態で、前記指示手段からの前記実行指示を受けると前記ステイプル処理を実行する制御手段と、を有する記録材処理装置において、
前記ステイプルユニットの位置を複数の位置の間で切り替える切替手段と、
前記複数の位置それぞれに対応する前記処理トレイにおける記録材の載置位置を通知する通知手段と、を有することを特徴とする記録材処理装置。
【請求項２】
前記通知手段は、前記装置本体に貼り付けられたシールまたは前記装置本体に形成された刻印であることを特徴とする請求項１に記載の記録材処理装置。
【請求項３】
前記シールまたは前記刻印には、前記処理トレイにおける記録材の載置位置を通知するための画像、記号、文字の少なくとも１つが記載されていることを特徴とする請求項２に記載の記録材処理装置。
【請求項４】
前記通知手段は、前記切替手段によって切り替えられた前記ステイプルユニットの位置に応じた前記処理トレイにおける記録材の載置位置を通知することを特徴とする請求項１に記載の記録材処理装置。
【請求項５】
前記通知手段は、前記処理トレイに配置されている複数の発光部を含み、
前記複数の発光部は、前記切替手段によって切り替えられた前記ステイプルユニットの位置に応じて、発光する発光部が変わり、発光する発光部が変わることで、装置本体の外部から前記処理トレイに挿入される記録材を前記処理トレイのいずれに載置するかをガイドすることを特徴とする請求項１に記載の記録材処理装置。
【請求項６】
前記通知手段は、前記処理トレイに載置された記録材の位置を整合する複数の整合部材を含み、前記切替手段によって切り替えられた前記ステイプルユニットの位置に応じて、対応する前記整合部材を移動させることを特徴とする請求項４または５に記載の記録材処理装置。
【請求項７】
前記通知手段は、前記切替手段によって切り替えられた前記ステイプルユニットの位置に応じて、対応する前記整合部材を記録材の排出方向の下流側に移動させることを特徴とする請求項６に記載の記録材処理装置。
【請求項８】
前記通知手段は、記録材の位置を表示する表示手段であることを特徴とする請求項１に記載の記録材処理装置。
【請求項９】
記録材に画像を形成する画像形成手段と、
前記画像形成手段によって画像が形成された記録材が載置される処理トレイと、
前記処理トレイに載置された記録材を検知する検知手段と、
前記処理トレイに載置された記録材に対してステイプル処理を実行するステイプルユニットと、
前記ステイプルユニットによる前記ステイプル処理の実行指示を出すための指示手段と、
前記画像形成手段から前記処理トレイに搬送された記録材に対して前記ステイプル処理を実行する第１のモードと、装置本体の外部から前記処理トレイに挿入された記録材を前記検知手段により検知した状態で、前記実行指示を受けると前記ステイプル処理を実行する第２のモードを切り替え可能な制御手段と、を有する画像形成システムにおいて、
前記ステイプルユニットの位置を複数の位置の間で切り替える切替手段と、
前記複数の位置それぞれに対応する前記処理トレイにおける記録材の載置位置を通知する通知手段と、を有することを特徴とする画像形成システム。
【請求項１０】
前記処理トレイに載置された記録材の位置を整合する複数の整合部材を有し、
前記制御手段は、前記第１のモードの場合、前記画像形成手段から搬送される記録材のサイズに応じた位置に前記複数の整合部材を移動させ、前記第２のモードの場合、前記処理トレイに載置可能な記録材の最大サイズに応じた位置に前記複数の整合部材を移動させることを特徴とする請求項９に記載の画像形成システム。
【請求項１１】
前記ステイプルユニットによって前記ステイプル処理が実行された記録材を前記処理トレイから排出口を介して排出する排出手段と、
前記排出手段によって排出された記録材が載置される排出トレイと、を有し、
前記装置本体の外部から前記排出口を介して前記処理トレイに記録材を挿入可能であることを特徴とする請求項９または１０に記載の画像形成システム。
【請求項１２】
前記排出手段は、前記処理トレイに載置された記録材と当接する当接位置と、前記処理トレイに載置された記録材から離間した離間位置の間で移動可能なローラであって、
前記制御手段は、前記第１のモードに切り替わった場合、前記ローラを前記当接位置へと移動させ、前記第２のモードに切り替わった場合、前記ローラを前記離間位置へと移動させることを特徴とする請求項１１に記載の画像形成システム。
【請求項１３】
前記通知手段は、前記装置本体に貼り付けられたシールまたは前記装置本体に形成された刻印であることを特徴とする請求項９に記載の画像形成システム。
【請求項１４】
前記シールまたは前記刻印には、前記処理トレイにおける記録材の載置位置を通知するための画像、記号、文字の少なくとも１つが記載されていることを特徴とする請求項１３に記載の画像形成システム。
【請求項１５】
前記通知手段は、前記切替手段によって切り替えられた前記ステイプルユニットの位置に応じた前記処理トレイにおける記録材の載置位置を通知することを特徴とする請求項９に記載の画像形成システム。
【請求項１６】
前記通知手段は、前記処理トレイに配置されている複数の発光部を含み、
前記複数の発光部は、前記切替手段によって切り替えられた前記ステイプルユニットの位置に応じて、発光する発光部が変わり、発光する発光部が変わることで、装置本体の外部から前記処理トレイに挿入される記録材を前記処理トレイのいずれに載置するかをガイドすることを特徴とする請求項９に記載の画像形成システム。
【請求項１７】
前記通知手段は、前記処理トレイに載置された記録材の位置を整合する複数の整合部材を含み、前記切替手段によって切り替えられた前記ステイプルユニットの位置に応じて、対応する前記整合部材を移動させることを特徴とする請求項１５または１６に記載の画像形成システム。
【請求項１８】
前記通知手段は、前記切替手段によって切り替えられた前記ステイプルユニットの位置に応じて、対応する前記整合部材を記録材の排出方向の下流側に移動させることを特徴とする請求項１７に記載の画像形成システム。
【請求項１９】
前記通知手段は、記録材の積載位置を表示する表示手段であることを特徴とする請求項９に記載の画像形成システム。
【手続補正２】
【補正対象書類名】明細書
【補正対象項目名】０００９
【補正方法】変更
【補正の内容】
【０００９】
上記の目的を達成するための本発明の記録材処理装置は、記録材が載置される処理トレイと、前記処理トレイに載置された記録材を検知する検知手段と、前記処理トレイに載置された記録材に対してステイプル処理を実行するステイプルユニットと、前記ステイプルユニットによる前記ステイプル処理の実行指示を出すための指示手段と、装置本体の外部から前記処理トレイに挿入された記録材を前記検知手段により検知した状態で、前記指示手段からの前記実行指示を受けると前記ステイプル処理を実行する制御手段と、を有する記録材処理装置において、前記ステイプルユニットの位置を複数の位置の間で切り替える切替手段と、前記複数の位置それぞれに対応する前記処理トレイにおける記録材の載置位置を通知する通知手段と、を有することを特徴とする。
【手続補正３】
【補正対象書類名】明細書
【補正対象項目名】００１０
【補正方法】変更
【補正の内容】
【００１０】
また、上記の目的を達成するための本発明の画像形成システムは、記録材に画像を形成する画像形成手段と、前記画像形成手段によって画像が形成された記録材が載置される処理トレイと、前記処理トレイに載置された記録材を検知する検知手段と、前記処理トレイに載置された記録材に対してステイプル処理を実行するステイプルユニットと、前記ステイプルユニットによる前記ステイプル処理の実行指示を出すための指示手段と、前記画像形成手段から前記処理トレイに搬送された記録材に対して前記ステイプル処理を実行する第１のモードと、装置本体の外部から前記処理トレイに挿入された記録材を前記検知手段により検知した状態で、前記実行指示を受けると前記ステイプル処理を実行する第２のモードを切り替え可能な制御手段と、を有する画像形成システムにおいて、前記ステイプルユニットの位置を複数の位置の間で切り替える切替手段と、前記複数の位置それぞれに対応する前記処理トレイにおける記録材の載置位置を通知する通知手段と、を有することを特徴とする。